(57)【要約】  空気調和機システム（１）は、可聴領域外の音波信号を送信する機能と信号を受信する機能とを有する管理端末（２）と、識別のためのアドレスが付与されていて通信を行う機能を有する第１空気調和機（３ａ）、第２空気調和機（３ｂ）、第３空気調和機（３ｃ）及び第４空気調和機（３ｄ）とを有する。管理端末（２）は、情報を記憶する記憶部（２３）を有する。第１空気調和機（３ａ）、第２空気調和機（３ｂ）、第３空気調和機（３ｃ）及び第４空気調和機（３ｄ）の各々は、管理端末（２）から送信された音波信号を受信し、アドレスを示す信号を管理端末（２）に送信する。管理端末（２）は、アドレスを示す信号を受信する。記憶部（２３）は、管理端末（２）が受信した信号が示すアドレスを示す情報を記憶する。
2020194443.tif 000002
【特許請求の範囲】
【請求項１】
可聴領域外の音波信号を送信する機能と信号を受信する機能とを有する管理端末と、
識別のためのアドレスが付与されていて通信を行う機能を有する複数の空気調和機とを備え、
前記管理端末は、情報を記憶する記憶部を有し、
前記複数の空気調和機のうちの前記管理端末から送信された前記音波信号を受信した空気調和機は、前記アドレスを示す信号を前記管理端末に送信し、
前記管理端末は、前記アドレスを示す信号を受信し、
前記記憶部は、前記管理端末が受信した信号が示すアドレスを示す情報を記憶する
空気調和機システム。
【請求項２】
前記複数の空気調和機のうちの前記管理端末から送信された前記音波信号を受信しない空気調和機は、前記アドレスを示す信号を、前記複数の空気調和機のうちの前記管理端末から送信された前記音波信号を受信する空気調和機に送信し、
前記複数の空気調和機のうちの前記管理端末から送信された前記音波信号を受信する空気調和機は、前記複数の空気調和機のうちの前記管理端末から送信された前記音波信号を受信しない前記空気調和機から送信された前記アドレスを示す信号を受信して前記管理端末に送信する
請求項１に記載の空気調和機システム。
【請求項３】
ユーザによって操作されて空気調和についての操作に対応する指示を前記複数の空気調和機のうちのひとつの空気調和機に送信する操作装置を更に備え、
前記ひとつの空気調和機は、前記操作装置から送信された前記指示を受信し、受信した前記指示を前記管理端末に送信し、
前記管理端末は、前記ひとつの空気調和機から送信された前記指示を受信し、前記記憶部が記憶している情報をもとに、前記複数の空気調和機のうちの制御対象の空気調和機に前記指示に対応する空気調和を行わせるための制御信号を送信し、
前記複数の空気調和機のうちの前記制御信号を受信した空気調和機は、前記制御信号にしたがった空気調和を行う
請求項１又は２に記載の空気調和機システム。
【発明の詳細な説明】
【技術分野】
【０００１】
本発明は、複数の空気調和機を有する空気調和機システムに関する。
【背景技術】
【０００２】
従来、複数の空気調和機と、情報処理端末と、情報処理端末に接続された無線送信機とを有する空気調和機システムが提案されている（例えば、特許文献１参照）。従来の空気調和機システムでは、ユーザが制御対象の空気調和機の識別情報と制御の内容とを含む制御指令を情報処理端末に入力すると、無線送信機は、情報処理端末から制御指令を受け取り、制御対象の空気調和機に制御の内容を示す情報を送信する。制御対象の空気調和機は、制御の内容を示す情報を受信し、当該制御にしたがって空気調和を行う。
【先行技術文献】
【特許文献】
【０００３】
【特許文献１】特開２０１０−１２１８８９号公報
【発明の概要】
【発明が解決しようとする課題】
【０００４】
複数の空気調和機の各々を識別する情報を管理する装置が存在すると、ユーザは、当該装置を用いることにより複数の空気調和機の各々を比較的容易に制御することができる。しかしながら、特許文献１は、複数の空気調和機の各々を識別する情報を管理する装置を開示していない。更に言うと、特許文献１は、複数の空気調和機の各々を識別する情報を当該装置に記憶させる技術を開示していない。【０００５】
本発明は、上記に鑑みてなされたものであって、複数の空気調和機の各々を識別する情報を管理する空気調和機システムを得ることを目的とする。
【課題を解決するための手段】
【０００６】
上述した課題を解決し、目的を達成するために、本発明に係る空気調和機システムは、可聴領域外の音波信号を送信する機能と信号を受信する機能とを有する管理端末と、識別のためのアドレスが付与されていて通信を行う機能を有する複数の空気調和機とを有する。管理端末は、情報を記憶する記憶部を有する。複数の空気調和機のうちの管理端末から送信された音波信号を受信した空気調和機は、アドレスを示す信号を管理端末に送信する。管理端末は、アドレスを示す信号を受信する。記憶部は、管理端末が受信した信号が示すアドレスを示す情報を記憶する。
【発明の効果】
【０００７】
本発明に係る空気調和機システムは、複数の空気調和機の各々を識別する情報を管理することができる。
【図面の簡単な説明】
【０００８】
【図１】実施の形態１に係る空気調和機システムの構成を示す図
【図２】実施の形態１に係る空気調和機システムが有する管理端末の構成を示す図
【図３】実施の形態１に係る空気調和機システムの第１空気調和機が有する第１室内機の外観を模式的に示す図
【図４】実施の形態１に係る空気調和機システムの動作の手順を示すフローチャート
【図５】実施の形態２に係る空気調和機システムの構成を示す図
【図６】実施の形態２に係る空気調和機システムの動作の手順を示すフローチャート
【図７】実施の形態１に係る空気調和機システムの管理端末が有する受信部、送信部及び管理部の少なくとも一部の機能がプロセッサによって実現される場合のプロセッサを示す図
【図８】実施の形態１に係る空気調和機システムの管理端末が有する受信部、送信部及び管理部の少なくとも一部が処理回路によって実現される場合の処理回路を示す図
【発明を実施するための形態】
【０００９】
以下に、本発明の実施の形態に係る空気調和機システムを図面に基づいて詳細に説明する。なお、この実施の形態によりこの発明が限定されるものではない。
【００１０】
実施の形態１．
まず、実施の形態１に係る空気調和機システム１の構成を説明する。図１は、実施の形態１に係る空気調和機システム１の構成を示す図である。空気調和機システム１は、管理端末２と、管理端末２によって管理される第１空気調和機３ａ、第２空気調和機３ｂ、第３空気調和機３ｃ及び第４空気調和機３ｄとを有する。管理端末２は、可聴領域外の音波信号を送信する機能と信号を受信する機能とを有する。管理端末２の例は、スマートスピーカである。第１空気調和機３ａ、第２空気調和機３ｂ、第３空気調和機３ｃ及び第４空気調和機３ｄの各々は、管理端末２が送信する音波信号を直接受信することができる場所に位置している。
【００１１】
第１空気調和機３ａ、第２空気調和機３ｂ、第３空気調和機３ｃ及び第４空気調和機３ｄの各々は、識別のためのアドレスが付与されている。第１空気調和機３ａ、第２空気調和機３ｂ、第３空気調和機３ｃ及び第４空気調和機３ｄは、複数の空気調和機の例である。第１空気調和機３ａ、第２空気調和機３ｂ、第３空気調和機３ｃ及び第４空気調和機３ｄの各々は、通信を行う機能を有する。
【００１２】
実施の形態１では、管理端末２は、第１空気調和機３ａ、第２空気調和機３ｂ、第３空気調和機３ｃ及び第４空気調和機３ｄの各々と無線で通信を行う。図１において示されている双方向の矢印は、通信路を示している。管理端末２が送信する音波信号は、第１空気調和機３ａ、第２空気調和機３ｂ、第３空気調和機３ｃ及び第４空気調和機３ｄの各々に、アドレスを示す信号の送信を要求する信号である。
【００１３】
第１空気調和機３ａは、第１室内機３１ａと第１室外機３２ａとを有する。第１空気調和機３ａでは、第１室内機３１ａが通信を行う機能を有する。図１には示されていないが、第１室内機３１ａと第１室外機３２ａとの間には、冷媒の循環経路が設けられている。図１には示されていないが、第１室内機３１ａは熱交換器及びファンを内部に有する。冷媒は、熱交換器を通る。
【００１４】
図１には示されていないが、第１室内機３１ａには、空気の吸い込み口と空気の吹き出し口とが設けられている。ファンが動作することによって、第１室内機３１ａの外部の空気は、吸い込み口から第１室内機３１ａの内部に移動する。第１室内機３１ａの内部に移動した空気は、熱交換器において冷媒との間で熱交換を行う。熱交換が行われた後の比較的冷たい空気又は比較的暖かい空気は、吹き出し口から第１室内機３１ａの外部に移動する。これにより、第１室内機３１ａが設置されている部屋の冷房又は暖房が行われる。
【００１５】
第２空気調和機３ｂ、第３空気調和機３ｃ及び第４空気調和機３ｄの各々の構成は、第１空気調和機３ａの構成と同じである。第２空気調和機３ｂは第２室内機３１ｂ及び第２室外機３２ｂを有しており、第２空気調和機３ｂでは第２室内機３１ｂが通信を行う機能を有する。第３空気調和機３ｃは第３室内機３１ｃ及び第３室外機３２ｃを有しており、第３空気調和機３ｃでは第３室内機３１ｃが通信を行う機能を有する。第４空気調和機３ｄは第４室内機３１ｄ及び第４室外機３２ｄを有しており、第４空気調和機３ｄでは第４室内機３１ｄが通信を行う機能を有する。
【００１６】
空気調和機システム１は、第１空気調和機３ａが有する第１室内機３１ａに有線で接続されていてユーザによって操作される操作装置４を更に有する。操作装置４は、ユーザによって操作される操作部４１を有する。操作部４１がユーザによって操作されると、操作装置４は、音波信号を送信させることを管理端末２に要求するための第１信号を第１空気調和機３ａの第１室内機３１ａに送信する。第１室内機３１ａは、操作装置４から送信された第１信号を受信し、音波信号を送信させることを管理端末２に要求する第２信号を管理端末２に送信する。操作装置４は、情報を表示する表示部４２を更に有する。表示部４２の例は、液晶表示装置である。
【００１７】
管理端末２は、第１空気調和機３ａから送信された第２信号を受信すると、音波信号を送信する。上述の通り、音波信号は、第１空気調和機３ａ、第２空気調和機３ｂ、第３空気調和機３ｃ及び第４空気調和機３ｄの各々に、アドレスを示す信号の送信を要求する信号である。第１空気調和機３ａ、第２空気調和機３ｂ、第３空気調和機３ｃ及び第４空気調和機３ｄの各々は、管理端末２から送信された音波信号を受信し、自身のアドレスを示す信号を管理端末２に送信する。具体的には、第１室内機３１ａ、第２室内機３１ｂ、第３室内機３１ｃ及び第４室内機３１ｄの各々は、管理端末２から送信された音波信号を受信し、自身が含まれる空気調和機のアドレスを示す信号を管理端末２に送信する。
【００１８】
図２は、実施の形態１に係る空気調和機システム１が有する管理端末２の構成を示す図である。管理端末２は、信号を受信する受信部２１と、音波信号を送信する送信部２２と、情報を記憶する記憶部２３と、記憶部２３に記憶される情報を管理する管理部２４とを有する。受信部２１は、第２信号を受信すると共に、第１空気調和機３ａ、第２空気調和機３ｂ、第３空気調和機３ｃ及び第４空気調和機３ｄの各々から送信されるアドレスを示す信号を受信する。記憶部２３は、受信部２１が受信した信号が示すアドレスを示す情報を記憶する。
【００１９】
例えば、第１空気調和機３ａ、第２空気調和機３ｂ、第３空気調和機３ｃ及び第４空気調和機３ｄの各々は、自身のアドレスを示す信号を管理端末２に送信する際、自身の識別子を管理端末２に送信する。記憶部２３は、受信部２１が受信した信号が示すアドレスを示す情報を当該アドレスが付与されている空気調和機の識別子と紐付けて記憶する。これにより、記憶部２３は、空気調和機毎のアドレスを示す情報を記憶する。
【００２０】
図３は、実施の形態１に係る空気調和機システム１の第１空気調和機３ａが有する第１室内機３１ａの外観を模式的に示す図である。第１室内機３１ａは、管理端末２から送信される音波信号を受信する受信部３５と、第１空気調和機３ａに付与されているアドレスを示す信号を管理端末２に送信する送信部３６とを有する。第２室内機３１ｂ、第３室内機３１ｃ及び第４室内機３１ｄの各々の構成は、第１室内機３１ａの構成と同じである。
【００２１】
次に、実施の形態１に係る空気調和機システム１の動作を説明する。図４は、実施の形態１に係る空気調和機システム１の動作の手順を示すフローチャートである。操作装置４の操作部４１がユーザによって操作されると、操作装置４は、音波信号を送信させることを管理端末２に要求するための第１信号を、第１空気調和機３ａの第１室内機３１ａに送信する。第１室内機３１ａは、第１信号を受信し、音波信号を送信させることを管理端末２に要求する第２信号を管理端末２に送信する。管理端末２は、第２信号を受信し、グループ設定信号を送信する（Ｓ１）。グループ設定信号は、音波信号である。つまり、グループ設定信号は、複数の空気調和機の各々に、アドレスを示す信号の送信を要求する信号である。
【００２２】
第１空気調和機３ａ、第２空気調和機３ｂ、第３空気調和機３ｃ及び第４空気調和機３ｄの各々は、管理端末２から送信されたグループ設定信号を受信し、自身に付与されているアドレスを示す信号を管理端末２に送信する（Ｓ２）。具体的には、第１空気調和機３ａでは、第１室内機３１ａが有する受信部３５がグループ設定信号を受信し、第１室内機３１ａが有する送信部３６が第１空気調和機３ａに付与されているアドレスを示す信号を管理端末２に送信する。第２空気調和機３ｂ、第３空気調和機３ｃ及び第４空気調和機３ｄの各々においても、第１空気調和機３ａと同様の動作が行われる。
【００２３】
管理端末２では、受信部２１が、第１空気調和機３ａ、第２空気調和機３ｂ、第３空気調和機３ｃ及び第４空気調和機３ｄの各々から送信されたアドレスを示す信号を受信する（Ｓ３）。管理部２４が行う管理によって、記憶部２３が、第１空気調和機３ａ、第２空気調和機３ｂ、第３空気調和機３ｃ及び第４空気調和機３ｄの各々のアドレスを示す情報を記憶する（Ｓ３）。
【００２４】
管理端末２の記憶部２３が記憶するアドレスを示す情報は、第１空気調和機３ａ、第２空気調和機３ｂ、第３空気調和機３ｃ及び第４空気調和機３ｄの各々によって行われる空気調和を制御するために用いられる。
【００２５】
操作装置４と有線で接続されている第１空気調和機３ａの第１室内機３１ａは、第１室内機３１ａが親機であることを認識する。ユーザが操作装置４の操作部４１に対して空気調和についての操作を行うと、操作装置４は当該操作に対応する指示を第１室内機３１ａに送信する。第１室内機３１ａは、操作装置４から送信された指示を受信して管理端末２に送信する。
【００２６】
管理端末２は、第１室内機３１ａから送信された信号を受信する。管理端末２は、記憶部２３が記憶している情報が示すアドレスの室内機である第２室内機３１ｂ、第３室内機３１ｃ及び第４室内機３１ｄに、ユーザが行った操作に対応する指示を示す信号を送信する。管理端末２は、記憶部２３が記憶している情報が示すアドレスの室内機である第１空気調和機３ａに、ユーザが行った操作に対応する指示を示す信号を送信してもよい。このように、第１空気調和機３ａ、第２空気調和機３ｂ、第３空気調和機３ｃ及び第４空気調和機３ｄの各々に付与されたアドレスを示す情報は用いられる。
【００２７】
第２室内機３１ｂ、第３室内機３１ｃ及び第４室内機３１ｄの各々は、自身に関連する情報である関連情報を管理端末２に定期的に送信する。自身に関連する情報には、室内機の周辺の情報が含まれてもよい。管理端末２は、第２室内機３１ｂ、第３室内機３１ｃ及び第４室内機３１ｄの各々から送信された関連情報を受信する。管理端末２は、第２室内機３１ｂ、第３室内機３１ｃ及び第４室内機３１ｄの各々の関連情報と、関連情報の送信元のアドレスを示す情報とを第１室内機３１ａに送信する。
【００２８】
第１室内機３１ａは、管理端末２から送信された第２室内機３１ｂ、第３室内機３１ｃ及び第４室内機３１ｄの各々の関連情報と、関連情報の送信元のアドレスを示す情報とを受信し、第１室内機３１ａの関連情報と、第２室内機３１ｂ、第３室内機３１ｃ及び第４室内機３１ｄの各々の関連情報とを操作装置４に送信する。操作装置４は、第１室内機３１ａ、第２室内機３１ｂ、第３室内機３１ｃ及び第４室内機３１ｄの各々の関連情報を受信する。操作装置４が有する表示部４２は、第１室内機３１ａ、第２室内機３１ｂ、第３室内機３１ｃ及び第４室内機３１ｄの各々の関連情報を表示する。ユーザは、表示部４２を見ることにより、第１室内機３１ａ、第２室内機３１ｂ、第３室内機３１ｃ及び第４室内機３１ｄの各々の関連情報を認識することができる。
【００２９】
上述の通り、実施の形態１に係る空気調和機システム１では、管理端末２が音波信号を送信し、第１空気調和機３ａ、第２空気調和機３ｂ、第３空気調和機３ｃ及び第４空気調和機３ｄの各々が、自身に付与されているアドレスを示す信号を管理端末２に送信する。管理端末２は、アドレスを示す信号を受信し、管理端末２が有する記憶部２３は、管理端末２が受信した信号が示すアドレスを示す情報を記憶する。アドレスは、第１空気調和機３ａ、第２空気調和機３ｂ、第３空気調和機３ｃ及び第４空気調和機３ｄの各々を識別するものである。
【００３０】
したがって、空気調和機システム１は、第１空気調和機３ａ、第２空気調和機３ｂ、第３空気調和機３ｃ及び第４空気調和機３ｄの各々を識別する情報を管理することができる。具体的には、空気調和機システム１は、第１空気調和機３ａ、第２空気調和機３ｂ、第３空気調和機３ｃ及び第４空気調和機３ｄの各々を識別する情報を管理端末２によって管理することができる。
【００３１】
上述の通り、管理端末２は、第１空気調和機３ａ、第２空気調和機３ｂ、第３空気調和機３ｃ及び第４空気調和機３ｄの各々と無線で通信を行う。つまり、実施の形態１に係る空気調和機システム１は、有線の通信線を必要としない。そのため、空気調和機システム１は、有線の通信線に係る費用及び工事の負担を生じさせないという効果をもたらす。また、スマートスピーカが管理端末２に用いられると、空気調和機システム１は、専用の管理端末２を準備させる必要がなくなるという効果をもたらす。
【００３２】
実施の形態２．
次に、実施の形態２に係る空気調和機システム１Ａの構成を説明する。図５は、実施の形態２に係る空気調和機システム１Ａの構成を示す図である。空気調和機システム１Ａは、実施の形態１に係る空気調和機システム１と同様に、管理端末２、第１空気調和機３ａ、第２空気調和機３ｂ、第３空気調和機３ｃ、第４空気調和機３ｄ及び操作装置４を有する。
【００３３】
実施の形態１では、第１空気調和機３ａ、第２空気調和機３ｂ、第３空気調和機３ｃ及び第４空気調和機３ｄの各々は、管理端末２が送信する音波信号を直接受信することができる場所に位置している。実施の形態２では、第１空気調和機３ａ及び第２空気調和機３ｂは、管理端末２が送信する音波信号を直接受信することができる場所に位置しているが、第３空気調和機３ｃ及び第４空気調和機３ｄは、管理端末２が送信する音波信号を直接受信することができる場所に位置していない。
【００３４】
実施の形態２では、第３空気調和機３ｃは、第１空気調和機３ａと通信を行うことができる場所に位置している。第４空気調和機３ｄは、第２空気調和機３ｂ及び第３空気調和機３ｃと通信を行うことができる場所に位置している。図５において示されている双方向の矢印は、通信路を示している。実施の形態２では、実施の形態１との相違点を主に説明する。
【００３５】
図６は、実施の形態２に係る空気調和機システム１Ａの動作の手順を示すフローチャートである。操作装置４の操作部４１がユーザによって操作されると、操作装置４は、音波信号を送信させることを管理端末２に要求するための第１信号を、第１空気調和機３ａの第１室内機３１ａに送信する。第１室内機３１ａは、第１信号を受信し、音波信号を送信させることを管理端末２に要求する第２信号を管理端末２に送信する。管理端末２は、第２信号を受信し、グループ設定信号を送信する（Ｓ１１）。
【００３６】
第１空気調和機３ａ及び第２空気調和機３ｂの各々は、管理端末２から送信されたグループ設定信号を受信し、自身に付与されているアドレスを示す信号を管理端末２に送信する（Ｓ１２）。管理端末２は、第１空気調和機３ａ及び第２空気調和機３ｂの各々から送信されたアドレスを示す信号を受信する（Ｓ１３）。管理端末２では、管理部２４が行う管理によって、記憶部２３が、第１空気調和機３ａ及び第２空気調和機３ｂの各々のアドレスを示す情報を記憶する（Ｓ１３）。
【００３７】
上述の通り、ステップＳ１３において、管理端末２の記憶部２３は、第１空気調和機３ａ及び第２空気調和機３ｂの各々のアドレスを示す情報を記憶する。しかしながら、アドレスを示す情報が管理端末２の記憶部２３に記憶されていない空気調和機が存在する可能性があるため、管理端末２は、グループ設定信号を再度送信する。第１空気調和機３ａは、自身に付与されているアドレスを示す信号と、第３空気調和機３ｃに付与されているアドレスを示す信号の送信の要求とを第３空気調和機３ｃに送信する。第２空気調和機３ｂは、自身に付与されているアドレスを示す信号と、第４空気調和機３ｄに付与されているアドレスを示す信号の送信の要求とを第４空気調和機３ｄに送信する。
【００３８】
第３空気調和機３ｃは、自身に付与されているアドレスを示す信号を第１空気調和機３ａに送信する。第４空気調和機３ｄは、自身に付与されているアドレスを示す信号を第２空気調和機３ｂに送信する。第１空気調和機３ａは、第３空気調和機３ｃに付与されているアドレスを示す信号を第３空気調和機３ｃから受信し、自身に付与されているアドレスを示す信号と第３空気調和機３ｃに付与されているアドレスを示す信号とを管理端末２に送信する（Ｓ１４）。
【００３９】
このように、ステップＳ１４では、ステップＳ１３においてアドレスを示す情報が管理端末２の記憶部２３に記憶された空気調和機は、管理端末２から送信された音波信号を直接受信することができない空気調和機からアドレスを示す信号を受信して管理端末２に転送する。管理端末２の記憶部２３は、転送された信号が示す情報を記憶する。
【００４０】
管理端末２の管理部２４は、アドレスを示す情報が管理端末２の記憶部２３に記憶されていない空気調和機が存在するか否かを判断する（Ｓ１５）。アドレスを示す情報が記憶部２３に記憶されていない空気調和機が存在すると管理部２４によって判断された場合（Ｓ１５でＹｅｓ）、空気調和機システム１Ａの動作はステップＳ１３に移行する。例えば、第１空気調和機３ａが自身に付与されているアドレスを示す信号と第３空気調和機３ｃに付与されているアドレスを示す信号とを管理端末２に送信したが、第２空気調和機３ｂが自身に付与されているアドレスを示す信号と第４空気調和機３ｄに付与されているアドレスを示す信号とを管理端末２に送信していない場合、ステップＳ１５の動作が行われた後、空気調和機システム１Ａの動作はステップＳ１３に移行する。
【００４１】
ステップＳ１５の動作が行われた後のステップＳ１４では、第１空気調和機３ａは、自身に付与されているアドレスを示す信号と第３空気調和機３ｃに付与されているアドレスを示す信号とを管理端末２に送信する。第２空気調和機３ｂは、自身に付与されているアドレスを示す信号と第４空気調和機３ｄに付与されているアドレスを示す信号とを管理端末２に送信する。
【００４２】
アドレスを示す情報が管理端末２の記憶部２３に記憶されていない空気調和機は存在しないと管理部２４によって判断された場合（Ｓ１５でＮｏ）、アドレスを示す情報を記憶部２３に記憶させる際の空気調和機システム１Ａの動作は終了する。
【００４３】
上述の通り、実施の形態２では、第３空気調和機３ｃ及び第４空気調和機３ｄは、管理端末２が送信する音波信号を直接受信することができる場所に位置していない。その場合でも、空気調和機システム１Ａの記憶部２３は、第１空気調和機３ａ、第２空気調和機３ｂ、第３空気調和機３ｃ及び第４空気調和機３ｄの各々のアドレスを示す情報を記憶する。
【００４４】
すなわち、第３空気調和機３ｃ及び第４空気調和機３ｄが管理端末２から送信される音波信号を直接受信することができる場所に位置していなくても、実施の形態２に係る空気調和機システム１Ａは、第１空気調和機３ａ、第２空気調和機３ｂ、第３空気調和機３ｃ及び第４空気調和機３ｄの各々を識別する情報を管理することができる。具体的には、空気調和機システム１Ａは、第１空気調和機３ａ、第２空気調和機３ｂ、第３空気調和機３ｃ及び第４空気調和機３ｄの各々を識別する情報を管理端末２によって管理することができる。
【００４５】
実施の形態３．
次に、実施の形態３に係る空気調和機システムを説明する。実施の形態３に係る空気調和機システムの構成は、実施の形態１に係る空気調和機システム１又は実施の形態２に係る空気調和機システム１Ａの構成と同じである。操作装置４は、ユーザが操作部４１に対して行った空気調和についての操作に対応する指示を第１空気調和機３ａに送信する。例えば、当該指示は、空気調和機から吹き出される風の量を制御するための指示である。操作装置４は、制御対象の空気調和機を示す情報も第１空気調和機３ａに送信する。第１空気調和機３ａは、複数の空気調和機のうちのひとつの空気調和機の例である。
【００４６】
第１空気調和機３ａは、操作装置４から送信された指示及び情報を受信し、受信した指示及び情報を管理端末２に送信する。管理端末２では、受信部２１が第１空気調和機３ａから送信された指示及び情報を受信し、送信部２２は、受信部２１が受信した指示及び情報と、記憶部２３が記憶している情報とをもとに、複数の空気調和機のうちの制御対象の空気調和機に、当該指示に対応する空気調和を行わせるための制御信号を送信する。記憶部２３が記憶している情報は、各空気調和機のアドレスを示す情報である。制御対象の空気調和機は、第１空気調和機３ａ、第２空気調和機３ｂ、第３空気調和機３ｃ及び第４空気調和機３ｄの一部又は全部である。複数の空気調和機のうちの制御信号を受信した空気調和機は、制御信号にしたがった空気調和を行う。
【００４７】
上述の通り、実施の形態３に係る空気調和機システムは、管理端末２が記憶する各空気調和機のアドレスを示す情報を用いることにより、ユーザの操作に対応する空気調和を、第１空気調和機３ａ、第２空気調和機３ｂ、第３空気調和機３ｃ及び第４空気調和機３ｄの一部又は全部に行わせることができる。
【００４８】
実施の形態３に係る空気調和機システムの構成が実施の形態２に係る空気調和機システム１Ａの構成と同じである場合、制御対象の空気調和機のひとつが第３空気調和機３ｃであるとき、第１空気調和機３ａは、管理端末２から送信された指示を受信して第３空気調和機３ｃに送信する。制御対象の空気調和機のひとつが第４空気調和機３ｄであるとき、第２空気調和機３ｂは、管理端末２から送信された指示を受信して第４空気調和機３ｄに送信する。
【００４９】
図７は、実施の形態１に係る空気調和機システム１の管理端末２が有する受信部２１、送信部２２及び管理部２４の少なくとも一部の機能がプロセッサ７１によって実現される場合のプロセッサ７１を示す図である。つまり、受信部２１、送信部２２及び管理部２４の少なくとも一部の機能は、メモリ７２に格納されるプログラムを実行するプロセッサ７１によって実現されてもよい。プロセッサ７１は、ＣＰＵ（Central  Processing  Unit）、処理装置、演算装置、マイクロプロセッサ、又はＤＳＰ（Digital  Signal  Processor）である。図７には、メモリ７２も示されている。
【００５０】
受信部２１、送信部２２及び管理部２４の少なくとも一部の機能がプロセッサ７１によって実現される場合、当該少なくとも一部の機能は、プロセッサ７１と、ソフトウェア、ファームウェア、又は、ソフトウェア及びファームウェアとの組み合わせにより実現される。ソフトウェア又はファームウェアは、プログラムとして記述され、メモリ７２に格納される。プロセッサ７１は、メモリ７２に記憶されたプログラムを読み出して実行することにより、受信部２１、送信部２２及び管理部２４の少なくとも一部の機能を実現する。
【００５１】
受信部２１、送信部２２及び管理部２４の少なくとも一部の機能がプロセッサ７１によって実現される場合、管理端末２は、受信部２１、送信部２２及び管理部２４によって実行されるステップの少なくとも一部が結果的に実行されることになるプログラムを格納するためのメモリ７２を有する。メモリ７２に格納されるプログラムは、受信部２１、送信部２２及び管理部２４が実行する手順又は方法の少なくとも一部をコンピュータに実行させるものであるともいえる。
【００５２】
メモリ７２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００５３】
図８は、実施の形態１に係る空気調和機システム１の管理端末２が有する受信部２１、送信部２２及び管理部２４の少なくとも一部が処理回路８１によって実現される場合の処理回路８１を示す図である。つまり、受信部２１、送信部２２及び管理部２４の少なくとも一部は、処理回路８１によって実現されてもよい。
【００５４】
処理回路８１は、専用のハードウェアである。処理回路８１は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００５５】
受信部２１、送信部２２及び管理部２４が有する複数の機能について、当該複数の機能の一部がソフトウェア又はファームウェアで実現され、当該複数の機能の残部が専用のハードウェアで実現されてもよい。このように、受信部２１、送信部２２及び管理部２４が有する複数の機能は、ハードウェア、ソフトウェア、ファームウェア、又はこれらの組み合わせによって実現することができる。
【００５６】
実施の形態１に係る空気調和機システム１の第１室内機３１ａが有する受信部３５及び送信部３６の少なくとも一部の機能は、メモリに格納されるプログラムを実行するプロセッサによって実現されてもよい。当該メモリには、受信部３５及び送信部３６によって実行されるステップの少なくとも一部が結果的に実行されることになるプログラムが格納される。受信部３５及び送信部３６の少なくとも一部は、処理回路によって実現されてもよい。当該処理回路は、処理回路８１と同様の処理回路である。
【００５７】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００５８】
１，１Ａ  空気調和機システム、２  管理端末、３ａ  第１空気調和機、３ｂ  第２空気調和機、３ｃ  第３空気調和機、３ｄ  第４空気調和機、４  操作装置、２１，３５  受信部、２２，３６  送信部、２３  記憶部、２４  管理部、３１ａ  第１室内機、３１ｂ  第２室内機、３１ｃ  第３室内機、３１ｄ  第４室内機、３２ａ  第１室外機、３２ｂ  第２室外機、３２ｃ  第３室外機、３２ｄ  第４室外機、４１  操作部、４２  表示部、７１  プロセッサ、７２  メモリ、８１  処理回路。
【図１】
2020194443.tif 000003
【図２】
2020194443.tif 000004
【図３】
2020194443.tif 000005
【図４】
2020194443.tif 000006
【図５】
2020194443.tif 000007
【図６】
2020194443.tif 000008
【図７】
2020194443.tif 000009
【図８】
2020194443.tif 000010
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
可聴領域外の音波信号を送信する機能と信号を受信する機能とを有する管理端末と、
識別のためのアドレスが付与されていて通信を行う機能を有する複数の空気調和機と、
ユーザによって操作されて空気調和についての操作に対応する指示を前記複数の空気調和機のうちのひとつの空気調和機に送信する操作装置とを備え、
前記管理端末は、情報を記憶する記憶部を有し、
前記複数の空気調和機のうちの前記管理端末から送信された前記音波信号を受信した空気調和機は、前記アドレスを示す信号を前記管理端末に送信し、
前記管理端末は、前記アドレスを示す信号を受信し、
前記記憶部は、前記管理端末が受信した信号が示すアドレスを示す情報を記憶し、
前記ひとつの空気調和機は、前記操作装置から送信された前記指示を受信し、受信した前記指示を前記管理端末に送信し、
前記管理端末は、前記ひとつの空気調和機から送信された前記指示を受信し、前記記憶部が記憶している情報をもとに、前記複数の空気調和機のうちの制御対象の空気調和機に前記指示に対応する空気調和を行わせるための制御信号を送信し、
前記複数の空気調和機のうちの前記制御信号を受信した空気調和機は、前記制御信号にしたがった空気調和を行う
空気調和機システム。
【請求項２】
前記複数の空気調和機のうちの前記管理端末から送信された前記音波信号を受信しない空気調和機は、前記アドレスを示す信号を、前記複数の空気調和機のうちの前記管理端末から送信された前記音波信号を受信する空気調和機に送信し、
前記複数の空気調和機のうちの前記管理端末から送信された前記音波信号を受信する空気調和機は、前記複数の空気調和機のうちの前記管理端末から送信された前記音波信号を受信しない前記空気調和機から送信された前記アドレスを示す信号を受信して前記管理端末に送信する
請求項１に記載の空気調和機システム。
【手続補正２】
【補正対象書類名】明細書
【補正対象項目名】０００６
【補正方法】変更
【補正の内容】
【０００６】
上述した課題を解決し、目的を達成するために、本発明に係る空気調和機システムは、可聴領域外の音波信号を送信する機能と信号を受信する機能とを有する管理端末と、識別のためのアドレスが付与されていて通信を行う機能を有する複数の空気調和機と、ユーザによって操作されて空気調和についての操作に対応する指示を複数の空気調和機のうちのひとつの空気調和機に送信する操作装置とを有する。管理端末は、情報を記憶する記憶部を有する。複数の空気調和機のうちの管理端末から送信された音波信号を受信した空気調和機は、アドレスを示す信号を管理端末に送信する。管理端末は、アドレスを示す信号を受信する。記憶部は、管理端末が受信した信号が示すアドレスを示す情報を記憶する。上記のひとつの空気調和機は、操作装置から送信された指示を受信し、受信した指示を管理端末に送信する。管理端末は、上記のひとつの空気調和機から送信された指示を受信し、記憶部が記憶している情報をもとに、複数の空気調和機のうちの制御対象の空気調和機に指示に対応する空気調和を行わせるための制御信号を送信する。複数の空気調和機のうちの制御信号を受信した空気調和機は、制御信号にしたがった空気調和を行う。
【国際調査報告】
2020194443.tif 000011
2020194443.tif 000012
2020194443.tif 000013